(57)【要約】【課題】磁気ディスクカートリッジにおいて、扁平面の面積も増大させることなく記録容量を増加させる。【解決手段】磁気ディスクカートリッジ１０において、センタコア１３に２枚の磁気ディスクメディア１４および１５を固着保持させて、シェルハーフ１１および１２からなるハウジング内に収容する。【選択図】　　　　　図３
2004022011.tif 000002
【特許請求の範囲】
【請求項１】
回転可能な磁気ディスクメディアと、該磁気ディスクメディアを収容する、記録再生装置が備える記録再生用ヘッドがアクセスするための開口部が設けられたハウジングと、前記開口部を開閉するように移動可能なシャッター部材とを備え、前記記録再生装置への挿入に伴って前記シャッター部材が、前記記録再生装置が備えているシャッター開閉部材によって前記開口部を開放する位置に移動せしめられる磁気ディスクカートリッジにおいて、
ハウジング内に、複数の磁気ディスクメディアを収容していることを特徴とする磁気ディスクカートリッジ。
【発明の詳細な説明】
【０００１】
【発明の属する技術分野】
本発明は、ケース内に円盤状の磁気ディスクメディアを収容した磁気ディスクカートリッジに関するものである。
【０００２】
【従来の技術】
従来より、フレキシブルなポリエステルシート等からなる円盤状のベースの両面に磁性層が形成され、この磁性層に磁気ヘッドを用いて信号を磁気記録し得るフレキシブルディスクが磁気ディスクメディアの一種として提供されている。
【０００３】
このフレキシブルディスクは通常、円盤状の中心部に硬質のセンタコアが装着され、全体がプラスチック製または金属製のシェルに収められた磁気ディスクカートリッジとして提供されており、その取扱いの容易性、低コストといった利点から、主としてコンピュータ用の記録媒体として用いられている。
【０００４】
【発明が解決しようとする課題】
ところで、このような磁気ディスクカートリッジに対しては、常にその記録容量の増大化が求められている。
【０００５】
磁気ディスクカートリッジの記録容量を増加させるための手段としては、トラック密度の向上（高ＴＰＩ化）や記録線密度の向上（高ＢＰＩ化）が挙げられるが、磁気ディスクメディアに対して過剰に高ＴＰＩ化および高ＢＰＩ化を行うと、データの記録再生時において磁気ヘッドの浮上状態の変化による影響を受けやすくなりデータの信頼性を損なう虞があるため、自ずと高ＴＰＩ化および高ＢＰＩ化の度合には限度が生じてしまう。
【０００６】
また、記録容量の増大には、磁気ディスクメディアの記録面積の増大も有効な手段の一つである。円盤状磁気ディスクにおいては内周側にはセンターコア等の部材が設けられているため、内周側の記録面積の拡大は困難であり、かつ内周側は半径の拡大の割りには記録面積は増大しないから、記録面積の増大には、磁気ディスクの外径を増大させて記録面積の外周側の半径を増大させることが効果的である。しかしながら、磁気ディスクの外径の増大に伴って、この磁気ディスクを内蔵するカートリッジの扁平面の面積も増大させる必要があり、あまりカートリッジの扁平面の面積を増大させるとカートリッジの携帯性や利便性を損ねてしまうという問題がある。
【０００７】
本発明は上記のような問題に鑑みてなされたものであり、磁気ディスクカートリッジにおいて、扁平面の面積も増大させることなく記録容量を増加した磁気ディスクカートリッジを提供することを目的とするものである。
【０００８】
【課題を解決するための手段】
本発明による磁気ディスクカートリッジは、回転可能な磁気ディスクメディアと、この磁気ディスクメディアを収容する、記録再生装置が備える記録再生用ヘッドがアクセスするための開口部が設けられたハウジングと、開口部を開閉するように移動可能なシャッター部材とを備え、記録再生装置への挿入に伴ってシャッター部材が、記録再生装置が備えているシャッター開閉部材によって開口部を開放する位置に移動せしめられる磁気ディスクカートリッジにおいて、ハウジング内に、複数の磁気ディスクメディアを収容していることを特徴とするものである。
【０００９】
【発明の効果】
本発明による磁気ディスクカートリッジによれば、ハウジング内に複数枚の磁気ディスクメディアを収容したことにより、カートリッジの扁平面の面積を増大させることなく、その枚数に比例して磁気ディスクカートリッジの記録容量を増加させることができる。
【００１０】
【発明の実施の形態】
以下、図面に示す実施の形態に基づいて本発明を詳細に説明する。図１は本発明の一実施の形態による磁気ディスクカートリッジの概略図、図２はこの磁気ディスクカートリッジのシャッター開位置時の概略図、図３はこの磁気ディスクカートリッジの構成図、図４はこの磁気ディスクカートリッジの断面図である。
【００１１】
磁気ディスクカートリッジ１０は、第１のシェルハーフ１１および第２のシェルハーフ１２からなる扁平なハウジング内に、センタコア１３に固着保持された磁気ディスクメディア１４および１５、部品１６、１７、１８および１９からなる第１のシャッター部材、部品２０、２１、２２および２３からなる第２のシャッター部材、第１のシャッター部材および第２のシャッター部材を閉位置方向に付勢するスプリング２４等を収容したものである。
【００１２】
第１のシャッター部材は、部品１６および１７により磁気ディスクメディア１４を挟み、部品１８および１９により磁気ディスクメディア１５を挟むように構成される。部品１６にはシャッターノブ１６ａが固着されている。
【００１３】
第２のシャッター部材も第１のシャッター部材と同様に、部品２０および２１により磁気ディスクメディア１４を挟み、部品２２および２３により磁気ディスクメディア１５を挟むように構成される。部品２３にはシャッターノブ２３ａが固着されている。
【００１４】
第１のシャッター部材および第２のシャッター部材が閉位置にある際には、第２のシャッター部材に第１のシャッター部材が一部重なるようになっており、搬送時等に塵埃等が侵入するのを防止する。
【００１５】
第１のシェルハーフ１１には、磁気ディスクメディア１４および１５の一部を露出させて後述する磁気ディスクドライブが備える記録再生部の磁気ヘッドをアクセスさせるための磁気ヘッド挿入部１１ａと、ドライブに備えられたスピンドル軸等を挿入するための開口部１１ｂと、シャッターノブ１６ａを移動可能とするための開口部１１ｃが設けられている。
【００１６】
第２のシェルハーフ１２にも第１のシェルハーフ１１と同様に、磁気ディスクメディア１４および１５の一部を露出させて後述する磁気ディスクドライブが備える記録再生部の磁気ヘッドをアクセスさせるための磁気ヘッド挿入部１２ａと、ドライブに備えられたスピンドル軸等を挿入するための開口部１２ｂと、シャッターノブ２３ａを移動可能とするための開口部１２ｃが設けられている。
【００１７】
第１のシャッター部材および第２のシャッター部材の開閉は、磁気ディスクカートリッジ１０をドライブに挿抜する際に以下のように自動的に行われる。
【００１８】
磁気ディスクカートリッジ１０をドライブに挿入するのに伴って、ドライブ内の係止部材により第１のシャッター部材に固着されたシャッターノブ１６ａおよび第２のシャッター部材に固着されたシャッターノブ２３ａが係止され、そこからさらに挿入することによりシャッターノブ１６ａおよび２３ａがハウジングに対して図１中下方に相対的に移動することにより、第１のシャッター部材および第２のシャッター部材がそれぞれ図２に示す開位置まで回転移動して磁気ディスクメディア１４および１５が露出状態となる。
【００１９】
磁気ディスクカートリッジ１０をドライブから抜脱する際には、第１のシャッター部材および第２のシャッター部材はスプリング２４により閉位置方向に付勢されているため、以上と逆の手順により第１のシャッター部材および第２のシャッター部材が閉位置まで移動する。
【００２０】
上記のように構成された磁気ディスクカートリッジ１０は、第１のシェルハーフ１１または第２のシェルハーフ１２のいずれを上側にしても同様の形状となるように構成されており、この磁気ディスクカートリッジ１０に対応した磁気ディスクドライブに対して、第１のシェルハーフ１１または第２のシェルハーフ１２のいずれを上側にしても挿入することが可能となっている。
【００２１】
次に、この磁気ディスクカートリッジ１０に対応した磁気ディスクドライブについて説明する。図５は磁気ディスクカートリッジ１０に対応した磁気ディスクドライブの前面図、図６はこの磁気ディスクドライブの断面図である。
【００２２】
この磁気ディスクドライブ３０は、磁気ディスクカートリッジ１０に内蔵された磁気ディスクメディア１４または１５に対して記録再生を行うための記録再生部と、磁気ディスクメディア１４および１５を回転駆動する磁気ディスク駆動部とを備える。また、この磁気ディスクドライブ３０の磁気ディスクカートリッジ挿入口３１には、磁気ディスクカートリッジ１０に設けられたシャッターノブ１６ａおよび２３ａに対応して、シャッターノブ収容部３１ａが設けられている。
【００２３】
記録再生部は、ドライブ内に挿入された磁気ディスクカートリッジ１０内の下側となった磁気ディスクメディアの上下面に対応して設けられた１対のサスペンション部材３３およびこのサスペンション部材３３の先端に取り付けられた磁気ヘッド３２を備える。
【００２４】
磁気ヘッド３２は、スライダーを備えており、このスライダーの一部には、記録再生用のヘッドギャップを有する薄膜磁気ヘッド等が固着されて構成されている。上記スライダーは、その設定形状に伴い、磁気ディスクメディアの回転によって発生する気流により、磁気ディスクメディアの表面から浮上する圧力、又は、磁気ディスクメディアの表面に吸着する圧力を生じるものであり、磁気ディスクメディアの高速回転に伴ってその表面に接離移動する。そして、前記サスペンション部材３３のバネ付勢力との関係によって、磁気ヘッド３２の接触荷重が所定の値となるように設定される。
【００２５】
上下２つのサスペンション部材３３は、サスペンション支持部３４に保持されている。サスペンション支持部３４は、サスペンション部材３３に保持されている磁気ヘッド３２が磁気ディスクメディアのセンタコア１３の領域を除く中心部分から外周部分までの間を移動可能なように両方向に回転する。
【００２６】
磁気ディスク駆動部は、磁気ディスクカートリッジ１０を所定位置に保持すると共に、磁気ディスクメディア１４および１５を保持しているセンタコア１３をスピンドル軸３５およびハブチャック３６によってチャッキングし、駆動モータ３７によってこのスピンドル軸３５およびハブチャック３６を駆動して磁気ディスクメディア１４および１５を所定回転数で回転させる。
【００２７】
磁気ディスクメディアに対して記録再生を行う際は、磁気ディスク駆動部により磁気ディスクメディアを所定回転数で回転させ、磁気ディスクカートリッジ１０の磁気ヘッド挿入部より前記磁気ヘッド３２を挿入して、ドライブ３０内に挿入された磁気ディスクカートリッジ１０内の下側となった磁気ディスクメディアに接近させて磁気記録再生を行う。
【００２８】
ドライブ３０内に挿入された磁気ディスクカートリッジ１０内の上側となった磁気ディスクメディアに対して記録再生を行う場合は、一度磁気ディスクカートリッジ１０をドライブ３０から抜脱し、磁気ディスクカートリッジ１０を裏返して、再度磁気ディスクカートリッジ１０をドライブ３０に挿入して、抜脱前に上側となっていた磁気ディスクメディアに対して記録再生を行う。
【００２９】
このように、ハウジング内に２枚の磁気ディスクメディアを収容することにより、カートリッジの扁平面の面積を増大させることなく、磁気ディスクメディアを１枚しか収容しない通常の磁気ディスクカートリッジと比較して、磁気ディスクカートリッジの記録容量を２倍にすることができる。
【００３０】
なお、ハウジング内に２枚の磁気ディスクメディアを収容する態様は、上記実施の形態で説明した態様に限定されるものではない。また、ハウジング内に収容する磁気ディスクメディアの枚数も上記に限定されるものではなく、ハウジング内に３枚以上の磁気ディスクメディアを収容してもよい。
【図面の簡単な説明】
【図１】本発明の一実施の形態による磁気ディスクカートリッジの概略図
【図２】上記磁気ディスクカートリッジのシャッター開位置時の概略図
【図３】上記磁気ディスクカートリッジの構成図
【図４】上記磁気ディスクカートリッジの断面図
【図５】上記磁気ディスクカートリッジに対応した磁気ディスクドライブの前面図
【図６】上記磁気ディスクドライブの断面図
【符号の説明】
１０　　磁気ディスクカートリッジ
１１　　第１のシェルハーフ
１２　　第２のシェルハーフ
１３　　センタコア
１４　　第１の磁気ディスクメディア
１５　　第２の磁気ディスクメディア
１６〜１９　　第１のシャッター部材
２０〜２３　　第２のシャッター部材
２４　　スプリング
３０　　磁気ディスクドライブ
３１　　磁気ディスクカートリッジ挿入口
３２　　磁気ヘッド
３３　　サスペンション部材
３４　　サスペンション支持部
３５　　スピンドル軸
３６　　ハブチャック
３７　　駆動モータ
【図１】
2004022011.tif 000003
【図２】
2004022011.tif 000004
【図３】
2004022011.tif 000005
【図４】
2004022011.tif 000006
【図５】
2004022011.tif 000007
【図６】
2004022011.tif 000008